(57)【要約】【課題】時計機能を使用せずにＦＷサーバへ定期的にアクセスできるＡＶ機器を提供することである。【解決手段】ＨＤＤ一体型光ディスク装置（ＡＶ機器）１０は、タイマー２６と、ネットワーク１２と通信する通信部２５とを有し、タイマー２６で所定時間計時するとタイムサーバ１３にアクセスして現在の日時を取得し、現在の日時が所定日時を経過していれば、ファームウェアを提供するＦＷサーバ１４にアクセスし、ファームウェアの更新があるかを確認し、ファームウェアの更新があればその旨を記憶する構成とする。【選択図】図１
2012008824.tif 000002
【特許請求の範囲】
【請求項１】
タイマーと、通信ネットワークと通信する通信部とを有するＡＶ機器において、
前記タイマーで所定時間計時するとタイムサーバにアクセスして現在の日時を取得し、
現在の日時が所定日時を経過していれば、ファームウェアを提供するファームウェアサーバにアクセスし、ファームウェアの更新があるかを確認し、ファームウェアの更新があればその旨を記憶することを特徴とするＡＶ機器。
【請求項２】
前記現在の日時が所定日時を経過していなければ、再び前記タイマーで前記所定時間計時することを特徴とする請求項１記載のＡＶ機器。
【請求項３】
前記ファームウェアの更新があれば、更新されたファームウェアを取得して該ファームウェアを適用することを特徴とする請求項１又は２記載のＡＶ機器。
【請求項４】
前記ファームウェアの更新があれば、次回の起動画面表示時及び／又はメニュー画面表示時にファームウェアの更新があることを確認した旨を表示することを特徴とする請求項１又は２記載のＡＶ機器。
【請求項５】
前記タイマーが映像・音声出力時の同期用のシステムタイマーであることを特徴とする請求項１〜４の何れかに記載のＡＶ機器。
【発明の詳細な説明】
【技術分野】
【０００１】
本発明は、ＡＶ（Audio Visual）機器に関する。
【背景技術】
【０００２】
ＡＶ機器としてＣＤ、ビデオカセット、ＤＶＤ、ＢＤ（ブルーレイディスク）、ハードディスクなどを記録媒体とする再生機や記録再生機、テレビなどが普及している。さらに、最近のＡＶ機器にはインターネットへの接続機能を有するものもある。そして、インターネット経由でその機器のファームウェアの更新ができるものもある。
【０００３】
例えば、ＢＤ−Ｌｉｖｅに対応したＢＤプレーヤでは、インターネット経由で各種データを取得できるので、ファームウェアの更新も可能である。他にも、各種ネットワーク経由でファームウェアを更新する技術は種々提案されている。
【０００４】
例えば、特許文献１には、ホームネットワークで接続された機器同士でソフトウェアダウンロードを代行することで、放送波が受信できない機器や、外部ネットワークに接続されていない環境、あるいは自機器がリソース使用中でダウンロード不可能な場合、でもファームウェアの取得・更新を行うデジタル放送受信装置の構成が開示されている。
【０００５】
また特許文献２には、ホームネットワークサーバは、組み込みソフトウェアの現在の構成を示すソフトウェア構成情報をモジュール提供サーバに通知し、ホームネットワークサーバにインストール可能な最新プログラムモジュールと当該最新プログラムモジュールの実行に必要な他のプログラムモジュールとを示す更新リスト情報をモジュール提供サーバに要求し、ホームネットワークサーバは、更新リスト情報に基づいて、最新プログラムモジュールと最新プログラムモジュールの実行に必要な他のプログラムモジュールとを含むプログラムモジュール群をモジュール提供サーバからダウンロードし、ダウンロードされたプログラムモジュール群を用いて、組み込みソフトウェアを更新するホームネットワークの構成が開示されている。
【０００６】
また特許文献３には、ネットワークに接続された通信処理部と、当該通信処理部で受信したアプリケーションプログラムを登録するプログラム登録部と、登録されたアプリケーションプログラムを実行し、当該電気機器の諸機能を発揮させるコントローラと、ネットワークを通して受信したアプリケーション書換え要求に応答し、送られてくるアプリケーションプログラムをプログラム登録部に更新登録するアプリケーション書換え処理部とを備えている電気機器の構成が開示されている。
【先行技術文献】
【特許文献】
【０００７】
【特許文献１】特開２００９−１７１３７１号公報
【特許文献２】特開２００５−１３５１８７号公報
【特許文献３】特開２００５−１０７７３７号公報
【発明の概要】
【発明が解決しようとする課題】
【０００８】
ところで、ネットワーク経由でファームウェアを提供するサーバ（以下、ＦＷサーバと記すことがある）にアクセスすると課金されるようになっているものもある。この場合、ファームウェアの更新の有無を確かめるために頻繁にＦＷサーバにアクセスすると無駄に課金される。
【０００９】
そこでＦＷサーバへ無駄にアクセスしないよう、定期的にアクセスすることが考えられる。これには日時の情報が必要となるが、録画機器などは時計機能を有しているので容易に日時の情報を得ることができ、問題はない。しかし、再生専用機器など時計機能をもたない機器では、容易に日時の情報を得られず、ＦＷサーバへ定期的にアクセスすることは難しい。
【００１０】
本発明は、時計機能を使用せずにＦＷサーバへ定期的にアクセスできるＡＶ機器を提供することを目的とする。
【課題を解決するための手段】
【００１１】
上記目的を達成するために本発明は、タイマーと、通信ネットワークと通信する通信部とを有するＡＶ機器において、前記タイマーで所定時間計時するとタイムサーバにアクセスして現在の日時を取得し、現在の日時が所定日時を経過していれば、ファームウェアを提供するファームウェアサーバにアクセスし、ファームウェアの更新があるかを確認し、ファームウェアの更新があればその旨を記憶することを特徴とする。
【００１２】
この構成によれば、時計機能を使用せずにファームウェアサーバへ定期的にアクセスできる。
【００１３】
上記のＡＶ機器において、前記現在の日時が所定日時を経過していなければ、再び前記タイマーで前記所定時間計時すればよい。
【００１４】
また上記のＡＶ機器において、ユーザの使い勝手を向上させる観点から、前記ファームウェアの更新があれば、更新されたファームウェアを取得して該ファームウェアを適用するようにしてもよい。
【００１５】
また上記のＡＶ機器において、前記ファームウェアの更新があれば、次回の起動画面表示時及び／又はメニュー画面表示時にファームウェアの更新があることを確認した旨を表示することで、ユーザへファームウェアの更新があることを知らせることができる。
【００１６】
また上記のＡＶ機器において、前記タイマーとして映像・音声出力時の同期用のシステムタイマーを用いれば、新たにタイマーを設ける必要がなくコストを抑えることができる。
【発明の効果】
【００１７】
本発明によると、時計機能を使用せずにファームウェアサーバへ定期的にアクセスできるので、再生専用機器など時計機能をもたない機器で有効に利用できる。また、ファームウェアサーバにアクセスすると課金されるようになっている場合でも、ファームウェアサーバへ無駄にアクセスすることを減らすことができるので、利用料を抑えることができる。
【図面の簡単な説明】
【００１８】
【図１】本発明のＨＤＤ一体型光ディスク装置の構成及びその周辺機器を示すブロック図である。
【図２】本発明のＨＤＤ一体型光ディスク装置の動作を示すフローチャートである。
【図３】本発明のＨＤＤ一体型光ディスク装置がＦＷの更新があることを確認した場合の動作であって、ＦＷをダウンロードして自機に適用する動作を示すフローチャートである。
【図４】本発明のメニュー画面の一例である。
【図５】本発明の選択画面の一例である。
【図６】本発明のＨＤＤ一体型光ディスク装置がネットワークに接続中であることを示す画面の一例である。
【図７】本発明のＨＤＤ一体型光ディスク装置に新たなＦＷを適用中であることを示す画面の一例である。
【図８】本発明のメニュー画面の一例である。
【図９Ａ】本発明の起動画面の一例である。
【図９Ｂ】本発明の起動画面の一例である。
【発明を実施するための形態】
【００１９】
以下、ＡＶ機器の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置（以下、自機と記すこともある）１０には、テレビ等の表示装置１１と、インターネット等のネットワーク１２を介して接続されるタイムサーバ１３及びＦＷサーバ１４とが接続されている。
【００２０】
ＨＤＤ一体型光ディスク装置１０は、アンテナ１５で受信したデジタルテレビ放送信号を復調、デジタル化するチューナ１６と、チューナ１６から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする映像／音声圧縮伸長部１７と、映像／音声圧縮伸長部１７から受け取った圧縮された映像／音声データをＨＤＤに記録したり、ＨＤＤに記録されたデータを再生したりするＨＤＤ記録再生部１８と、映像／音声圧縮伸長部１７から受け取った圧縮された映像／音声データを挿入されたＤＶＤ又はＢＤに記録したり、ＤＶＤ又はＢＤに記録されたデータを再生したりするＢＤ／ＤＶＤ記録再生部１９と、各種設定値を表示装置１１の一部に表示しながら設定できるようにするＯＳＤ（On Screen Display）部２０と、ＯＳＤ部２０からの映像信号をアナログ化し、表示装置１１へ出力する映像出力部２１と、映像／音声圧縮伸長部１７からの音声信号をアナログ化し、表示装置１１へ出力する音声出力部２２と、ＲＯＭやＲＡＭからなりファームウェアを格納するメモリ２３と、リモコン３０からの信号を受信するリモコン受信部２４と、ネットワーク１２との接続を行う通信部２５と、タイムサーバ１３へアクセスするまでの時間を計時するタイマー２６と、ＨＤＤ一体型光ディスク装置１０の各部を制御する制御部２７とを備えている。
【００２１】
また、制御部２７は、定期的にタイムサーバ１３にアクセスして現在の日時を取得し、現在の日時が所定日時を経過していれば、ＦＷサーバにアクセスし、更新されたファームウェアを取得するように制御することも行う。ファームウェアの更新には、機能の追加や不具合の修正などがある。以下、この制御について説明する。
【００２２】
図２は、ＨＤＤ一体型光ディスク装置１０の動作を示すフローチャートである。ステップＳ１０において、制御部２７は、タイマー２６の経過時間（例えば２４時間）ｔｓが所定時間Ｔｓになるまで待つ。そして、ｔｓ＝Ｔｓになると、ステップＳ１１へ進んで通信部２５はネットワーク１２を介してタイムサーバ１３にアクセスし、現在の日時（例えば年月日及び時刻）ｔを取得する。
【００２３】
ステップＳ１１からはステップＳ１２へ進んで、制御部２７は現在の日時ｔが所定日時Ｔｕを経過しているか否かを判別する。所定日時は、毎月１日などとすればよく、例えば、ステップＳ１２で現在の日時ｔが所定日時Ｔｕを経過していると判別した場合に、次の所定日時Ｔｕに自動的に更新すればよい。
【００２４】
ステップＳ１２において現在の日時ｔが所定日時Ｔｕを経過していない（ｔ＜Ｔｕ）と判別した場合、ステップＳ１６へ進んでタイマー２６を初期値（ｔｓ＝０）にしてステップＳ１０に戻る。
【００２５】
一方、ステップＳ１２において現在の日時ｔが所定日時Ｔｕを経過している（ｔ≧Ｔｕ）と判別した場合、ステップＳ１３へ進んで通信部２５はＦＷサーバ１４にアクセスし、最新のＦＷのバージョン情報を取得する。そしてステップＳ１４へ進んで制御部２７はＦＷサーバ１４から取得した最新のＦＷのバージョンが自機１０のＦＷのバージョンより新しいか否かを判別する。このように、ステップＳ１３及びステップＳ１４により、ファームウェアの更新があるかを確認できる。
【００２６】
ステップＳ１４において最新のＦＷのバージョンが自機１０のＦＷのバージョンより新しくない場合、例えば最新のＦＷのバージョンと自機１０のＦＷのバージョンとが同じ場合、自機１０のＦＷは最新の状態であるので、ステップＳ１６へ進み、ステップＳ１０に戻る。
【００２７】
一方、ステップＳ１４において最新のＦＷのバージョンが自機１０のＦＷのバージョンより新しい場合、ＦＷの更新があったと判断し、ステップＳ１５へ進んでＦＷの更新がある旨をメモリ２３に記憶する。その後はステップＳ１６を経てステップＳ１０に戻る。
【００２８】
続いて、図３に、ＨＤＤ一体型光ディスク装置１０が上述のようにＦＷの更新があることを確認した場合の動作であって、ＦＷをダウンロードして自機１０に適用する動作のフローチャートを示す。
【００２９】
制御部２７は、ＦＷの更新があることを確認した場合、次回のメニュー画面の表示時に、ステップＳ２０へ進んでメニュー画面にＦＷの更新があることを確認した旨を表示させる。例えば、図４のように、メディアとサービスを表示するメニュー画面４０において、インフォメーションボタン４１の色を通常色から変えることでＦＷの更新があることを知らせることができる。なお、メニュー画面４０の各アイコンは、ＢＤ／ＤＶＤ／ＣＤボタン４２、ＳＤカードボタン４３、ホームネットワークボタン４４、セットアップボタン４５である。
【００３０】
ステップＳ２０からはステップＳ２１へ進んで、制御部２７はインフォメーションボタン４１が選択操作されたか否かを判別する。ユーザによりリモコン３０が操作され、インフォメーションボタン４１が選択操作されると、ステップＳ２２へ進んでＦＷをダウンロードして適用するかどうかの選択を促す画面を表示する。例えば、図５のように、選択画面５０はメニュー画面４０に重ねて「Firmware version up?」について「Yes」又は「No」を選択可能に表示している。一方、ステップＳ２１においてインフォメーションボタン４１以外のボタンが選択操作されると、本処理を終了し、選択されたボタンの動作に移る。
【００３１】
ステップＳ２２からはステップＳ２３へ進んで、制御部２７はユーザによってＦＷの更新が選択されたか否かを判別する。例えば、図５の選択画面５０であれば、「Yes」、「No」の何れが選択されたかを判別する。
【００３２】
ステップＳ２３においてユーザによりＦＷの更新が選択（許可）されると（図５では「Yes」が選択されると）、ステップＳ２４へ進んで通信部２５はＦＷサーバ１４へアクセスし、最新のＦＷをダウンロード（取得）してメモリ２３に記憶する。図６はネットワーク１２に接続中の画面６０である。一方、ステップＳ２３においてＦＷを更新しないことが選択された場合（図５では「No」が選択された場合）、本処理を終了し、メニュー画面４０に戻る。
【００３３】
ＦＷのダウンロードが完了すると、ステップＳ２５へ進んでダウンロードしたＦＷを自機１０に適用する。図７はＦＷを適用中の画面７０である。その後、ステップＳ２６へ進んで自機１０を再起動する。これにより、最新のＦＷを使用することができる。
【００３４】
他の形態としては、図２のステップＳ１３においてＦＷの更新内容も取得し、ステップＳ１５においてその内容も記憶すれば、図３のステップ２０において、メニュー画面にＦＷの更新内容も表示できる。例えば、ＦＷの更新内容がインターネットラジオ機能の追加である場合、図８のように、メニュー画面８０に追加可能な機能としてインターネットラジオボタン８１を他のボタンとは色を変えて表示する。そして、インターネットラジオボタン８１が選択されるとその機能の内容を表示する。これにより、ユーザはＦＷの更新によってどのような機能が追加されるのか予め知ることができ、使い勝手が向上する。
【００３５】
また、図２のステップＳ１５において、ＦＷの更新がある旨をメモリ２３に記憶する代わりに、自動でそのＦＷをダウンロードし、該ＦＷを自機１０に適用するようにしてもよい。これにより、ユーザはＦＷの更新を気にする必要がなくなる。また、ステップＳ１５において、ＦＷの不具合の解消など単なるバージョンアップの場合は自動でそのＦＷをダウンロードし、一方、インターネットラジオ機能の追加など新機能の追加の場合は、図３のように、ユーザの許可があってからＦＷをダウンロードして適用するようにしてもよい。これにより、ユーザにあまり関係のないＦＷの更新は自動で行い、ユーザに関係のある機能の追加はユーザの判断に任せることになるので、ユーザの使い勝手が向上する。
【００３６】
また、図３のステップＳ２０及びステップＳ２１に代えて、起動画面表示時にＦＷの更新があることを確認した旨を表示するようにしてもよい。例えば、図９Ａのような起動画面９０に、メッセージを重ねて図９Ｂのような起動画面９１を表示する。起動画面９１においては確認ボタン９２が選択操作されるとメッセージを消去する（起動画面９０を表示）。そして、起動が完了すると、ステップＳ２２へ進み、図５のような選択画面を表示すればよい。これにより、メニュー画面にインフォメーションボタンがないなど、メニュー画面でユーザにＦＷの更新を知らせることができない場合にでも起動時に知らせることができる。なお、メニュー画面でＦＷの更新を知らせることと併用しても問題はない。
【００３７】
また、タイマー２６は映像・音声出力時に必要な同期用のシステムタイマー（例えば制御部２７内にある）を用いてもよい。そうすれば、新たにタイマーを設ける必要がなくコストを抑えることができる。
【産業上の利用可能性】
【００３８】
本発明は、ＣＤ、ビデオカセット、ＤＶＤ、ＢＤ、ハードディスクなどを記録媒体とする再生機、ビデオオンデマンド装置、インターネットラジオ装置をはじめ、各種ＡＶ機器に利用することができる。そして特に、時計機能をもたないＡＶ機器に有効である。
【符号の説明】
【００３９】
１０  ＨＤＤ一体型光ディスク装置（ＡＶ機器）
１３  タイムサーバ
１４  ＦＷサーバ（ファームウェアサーバ）
１２  ネットワーク（通信ネットワーク）
２５  通信部
２６  タイマー
【図１】
2012008824.tif 000003
【図２】
2012008824.tif 000004
【図３】
2012008824.tif 000005
【図４】
2012008824.tif 000006
【図５】
2012008824.tif 000007
【図６】
2012008824.tif 000008
【図７】
2012008824.tif 000009
【図８】
2012008824.tif 000010
【図９Ａ】
2012008824.tif 000011
【図９Ｂ】
2012008824.tif 000012